(57)【要約】      （修正有）【課題】初心者でも容易に曲線挽き、折線挽きができて、さらに被加工物の支持を安定させ、糸鋸を使って、製品、作品作りに於ける操作性の向上と安全に作業できる糸鋸機を提供する。【解決手段】被加工物の墨線を糸鋸刃位置の中心軸に保持し、挽く方向を自由自在に方向転換できる作業テーブル２を有して、糸鋸挽きを支援することを特徴とする。公知の糸鋸機にも作業テーブル２は取り付け固定できる。被加工物の墨線を糸鋸刃の中心軸に保持して、右回り左回り自由自在に方向転換できる作業テーブル２で操作性が向上し、曲線挽き、折線挽き、直線挽きを支援できる。【選択図】図１
0003153265.tif 000002
【実用新案登録請求の範囲】
【請求項１】
被加工物の墨線位置を糸鋸刃の中心軸に保持し、挽く方向を自由自在に方向転換できる作業テーブルを有して、糸鋸挽きを支援する作業テーブルを設けたことを特徴とする糸鋸機。
【請求項２】
公知の糸鋸機にも取り付け可能で、被加工物の墨線位置を糸鋸刃の中心軸に保持し、挽く方向を自由自在に方向転換できて、糸鋸挽きを支援する作業テーブル。
【考案の詳細な説明】
【技術分野】
【０００１】  本考案は糸鋸を使って製品、作品造りに於ける操作性の向上を図る。被加工物の墨線位置を糸鋸刃の中心軸に保持して曲線挽き、あるいは折線挽きを容易に支援するように考案した作業テーブルを設けた糸鋸機に関する。糸鋸刃で被加工物を挽くときに挽く方向を自由自在に方向転換できる利便を作者に与えるように考案した作業テーブルに関する。
【背景技術】
【０００２】  ここでの被加工物とは主に木工造形作品を指している。ここでの墨線とは木工造形作品創りに於ける下書き、下絵、写真などの挽き線を指している。又は頭に浮かぶイメージ像を表現しようとする挽き線を指していて、必ずしも被加工物に罫書き、下書きしただけのものではない。木工造形作品を挽く状況は糸鋸刃で被加工物を自由自在に墨線に沿って糸鋸刃で切断している。作者は糸鋸刃の特徴と自由度を最大に利用して被加工物を挽いている。公知の糸鋸機は平面作業テーブルとテーブル中央で糸鋸刃を上下に可動さる機構を備える。作者は被加工物を平面作業テーブル上で自由自在な方向転換と糸鋸刃に向かった方向へ被加工物を滑らせることで挽いている。
公知の糸鋸機は被加工物を最も自由度が高く挽けることを特徴としている。【０００３】  被加工物が木材の場合は木材料の種類によって硬い木、柔らかい木、又、木目の現れ方で糸鋸刃の挽き進む角度が頻繁に変化するのは公知の事実である。糸鋸刃自体が剛体ではなく、糸鋸刃を支持している機構も剛体ではないので、被加工物を倣い板（フェンス）などで強固に固定し、直線移動しても切断線を直線に制御することは困難である。円形物の中心点を支持して回転させても理想の曲線に制御することは困難である。【０００４】  糸鋸機での被加工物の挽き方を下記３通りに大別して説明する。
糸鋸機で被加工物を挽くときは、直線挽き、曲線挽き、折線挽きの組み合わせである。
作者の指先を介して、被加工物が方向転換し、挽かれる様子を詳しく観察した結果を次に示す。【０００５】  直線挽きは糸鋸刃に向かって真直ぐ前方向に材料を送る挽き方である。作業テーブル上で被加工物を糸鋸刃に向かって滑らせる挽き方である。【０００６】  曲線挽きは曲線の接線を挽くことであり、糸鋸刃の位置を中心軸として想像しながら被加工物を接線方向への角度を定めて、直線で微量前進させて挽く。次に現時点での被加工物を接線方向への角度を定めて、直線で微量前進させて挽く。この繰返しの瞬間、瞬間を挽いている。【０００７】  折線挽きは被加工物を現時点に止めて、糸鋸刃の中心軸を想像しながら仮想中心軸で大きく被加工物を方向転換させる挽き方である。被加工物は糸鋸刃に向かって移動しないので糸鋸刃のアサリ刃部分で微量を仮想中心軸で方向転換しながら挽くことになる。次に進む角度を定めて、直線で挽いている。折線挽きは最も難しい挽き方である。【０００８】  以上の説明で判るように曲線挽き、折線挽きの場面では被加工物を糸鋸刃位置の中心軸に合わせてゆっくり、あるときは素早く被加工物の方向転換角度を定める作業が必要となる。被加工物に手を添えて糸鋸刃との仮想中心軸を推定して、角度を定めて被加工物を糸鋸刃に向かって前進させて挽く。ここでの仮想中心軸とは糸鋸刃位置であり、被加工物に手を添えた手の感触で感じ取る糸鋸刃の推定の中心位置を指す。【０００９】  被加工物の形状は作品によって千差万別である。被加工物の中心位置を両手の指先の感覚と目で追いながら両手を動かして手の感触で推定し、糸鋸刃位置と被加工物の挽く角度と位置を定めている。ここには技術より技量であり、熟練の世界がある。
公知の糸鋸機では糸鋸挽きを体得するには数多くの経験と熟練が要る。
【考案の開示】
【考案が解決しようとする課題】
【００１０】  しかしながら、以上の技術によれば、公知の糸鋸機で挽くには相応の熟練と経験が必要である。初心者でも容易に曲線挽き、折線挽きができて、さらに被加工物の支持を安定させ、糸鋸を使って製品、作品造りに於ける操作性の向上と安全に作業できる環境を提供する。【００１１】  公知の糸鋸機の操作方法と違いを作らないこと。作業テーブル上は被加工物が載っているだけで公知の作業テーブルと全く同様として、さらに操作方法も同等する。
曲線挽き、折線挽きを容易に可能とする機を提供することを課題とする。
【課題を解決するための手段】
【００１２】  以上の課題を解決するために、請求項１に係る第一考案は、被加工物の墨線を糸鋸刃の中心軸と一致させて、挽く方向を自由自在に方向転換できる構造として被加工物を支持する作業テーブルを設けたことを特徴とする糸鋸機である。
また、請求項２に係る第二考案は、公知の糸鋸機にも容易に取り付け可能な機構であることを特徴とする。被加工物の墨線を糸鋸刃の中心軸と一致させて、挽く方向を自由自在に方向転換できる構造を有して、被加工物を支持する糸鋸機用作業テーブルである。
【考案の効果】
【００１３】第一考案、または第二考案によれば、初心者でも曲線挽き、折線挽き、鋭角な戻し挽きと高度な糸鋸挽きができる。熟練技能が必要な糸鋸挽きを支援できる。
被加工物の支持が安定するので、操作性が向上し初心者でも安全に作業できる。
【考案を実施するための最良の形態】
【００１４】  糸鋸刃で被加工物を挽く（切断）する様子を詳細に観察すると、挽く方向は大別して二つある。一つはテーブル上、手前から後方へ糸鋸刃に向かう直進方向である。主に糸鋸刃で材料を挽く（切断）できる方向は手前から後方へと糸鋸刃へ向かう方向である。特に糸鋸刃にアサリのない刃（図３０）場合の挽く方向は手前から後方へ直線方向のみである。二つ目は糸鋸刃にアサリのある刃（図３１）の場合でアサリ分だけ左右に方向を転換することができるが、その量は僅かである。【００１５】  直線挽きは被加工物をテーブル上で糸鋸刃に向かって手前から後方へ直線方向に滑らせて挽いている。【００１６】  曲線引きは曲線の接線方向に角度定めて被加工物を支持しする。墨線上を僅かに前進させて、再び曲線の接線方向に角度定めて被加工物を支持して墨線上を僅かに前進させることの繰り返しで実現している。【００１７】  折線挽きは被加工物を停止させて、その場で被加工物の墨線と糸鋸刃の中心を一致させ角度のみで方向転換して挽いている。糸鋸刃の後方は刃が無いので被加工物を方向転換しても挽けない。被加工物を再び逆方向転換して糸鋸刃のアサリ量（図３１）を使って挽くことを繰り返している。【００１８】  最も熟練が必要な挽き方なので、図２０、図２１、図２２、図２３、図２４で説明する。
［図２０］は折線挽きでの理想的な挽き姿を示す。
［図２１］は挽き始めで被加工材を作業テーブル上で滑らせて真っ直ぐ前進させる。
［図２２］は直線挽きが終わった時点で１８０度方向転換位置を示す。
［図２３］は、ここからは糸鋸刃を中心軸として、被加工物を方向転換する挽き方になる。反転方向は時計周り、反時計周りどちらからでも良い。アサリ刃（図３１）を活用して少しずつ方向転換しながら僅かづつ挽いている。
［図２４］は被加工物を時計方向に転換した状態を示します。
［図２３］、［図２４］を交互に繰り返して理想的な折線挽きに近づけます。
公知の糸鋸機での挽き方は曲線挽き、折線挽き、いずれも被加工物の中心軸と糸鋸刃の中心軸を両手の感覚で一致させて挽くことになるので経験と熟練が要る。
初心者は被加工物を常に糸鋸刃の中心位置に合致させて方向転換することが難しいので、折線位置が移動したもの、又は偏芯した製品、作品になりやすい。【００１９】  以上の課題を、請求項１に係る第一考案は糸鋸刃位置を中心軸として被加工物を方向転換できる機構を有して、被加工物を支持する作業テーブル（２）を設けたことを特徴とする糸鋸機で解決するものである。
作業テーブル（２）の構造を４種類の方法で示し、説明する。【００２０】  第１の方法（図１）  被加工物を支持する作業テーブル（２）は固定テーブル（１）に固定したガイド筒を中心にしてガイド筒（１６）が入るポール穴を有する機構とする。ガイド筒（１６）の中心には糸鋸刃が通る構造とする。（図１）ガイド筒（１６）の内径は糸鋸刃上下可動するに支障のない内径とする。内径は使用する糸鋸刃の幅で決める。
ガイド筒（１６）の内径は糸鋸刃の幅プラス０．５ｍｍから２．０ｍｍ程度とする。
作業テーブル（２）はガイド筒（１６）の円の外周と固定テーブルとの接触面が滑る構造とする。作業テーブル（２）、固定テーブル（１）の大きさ、形状、材質は特に規制するものでないが摩擦係数の少ない組み合わせとする
作業テーブル（２）の面積は固定テーブルの７５％から１５０％程度が最適である。
固定テーブル（１）にガイド筒（１６）（ガイドポール）が一体で形成する。この固定テーブル（１）の上に作業テーブル（２）が乗る構造とする。作業テーブル（２）の中央位置にはガイド筒（１６）が貫通する穴を開ける。作業テーブル（２）はガイド筒（１６）を中心軸としてのガイド筒（１６）の外周を円周方向に移動できる。更に固定テーブル（１）上を滑っていて平面状態が保たれる。【００２１】糸鋸刃位置と作業テーブル（２）の調整方法は固定テーブル（１）のガイド筒（１６）（ガイドポール）の中心を糸鋸刃可動軸の中心軸に合わすことである。試し切材に糸鋸刃幅の径の穴をあけ、糸鋸刃を通し、作業テーブル（２）に乗せる。作業テーブル（２）を静かに方向転換させながら、糸鋸刃が穴の中心になるように固定テーブル（１）の位置を調整する。
図２、図３、図４に作業テーブル（２）を方向転換した上視図を示す。
図３、図４  上視図  作業テーブル（２）を糸鋸刃中心軸上で円周方向（反時計方向）に角度変更した図である。同様に時計方向にも角度変更できる。【００２２】  第２の方法（図５）  被加工物を支持する作業テーブル（２）は固定テーブル（１）に接合し固定するドーナツ状（環状）の回転ベアリング（５）の上に搭載される機構とする。この作業テーブル（２）は回転ベアリング（５）機構を介して角度保持し、被加工物の挽く角度を支持する構造とする。固定テーブル（１）上にスラスト荷重受け型のドーナツ状の回転ベアリング（５）機構の下部ハウジングを固定する。上部ハウジングに作業テーブル（２）を乗せて固定する。作業テーブル（２）はスラスト荷重受け型のドーナツ状回転ベアリングの円周方向で被加工物の挽く角度を支持する構造とする。
作業テーブル（２）の糸鋸刃が通る中央の穴の径は糸鋸刃の幅プラス０．５ｍｍから２．０ｍｍ程度とする。固定テーブル（１）の糸鋸刃が通る中央の穴の径は特に規制しない。
糸鋸刃位置と作業テーブル（２）の調整方法は第１の方法と同様である。【００２３】  第３の方法（図６）  被加工物を支持する作業テーブル（２）は固定テーブル（１）に固定したドーナツ状の輪状レールの案内役（ガイド）（３）を介して滑って動く機構とする。固定テーブル（１）上に輪状レールの案内役（ガイド）（３）を固定する。案内役（ガイド）形状はドーナツ状の□形状（３２）叉は△形状（３３）となる形状とする。
作業テーブル（２）は輪状レールの案内役（ガイド）（３）を包み込む形でドーナツ状の円周を可動する。
作業テーブル（２）の糸鋸刃が通る中央の穴の径は糸鋸刃の幅プラス０．５ｍｍから２．０ｍｍ程度とする。固定テーブル（１）の糸鋸刃が通る中央の穴の径は特に規制しない。
糸鋸刃位置と作業テーブル（２）の調整方法は第１の方法と同様である。【００２４】  第４の方法は（図７）被加工物を支持する作業テーブル（２）は作業テーブル（２）側にドーナツ状の輪状レールの案内役（ガイド）（３）を固定する。固定テーブル（１）のガイド溝（３）を介して滑って動く機構とする。作業テーブル（２）下に輪状レールの案内役（ガイド）（３）を固定する。ドーナツ状の□形状（３２）叉は△形状（３３）とする。作業テーブル（２）は案内役溝でドーナツ状の円周を可動する。
作業テーブル（２）の糸鋸刃が通る中央の穴の径は糸鋸刃の幅プラス０．５ｍｍから２．０ｍｍ程度とする。固定テーブル（１）の糸鋸刃が通る中央の穴の径は特に規制しない。
糸鋸刃位置と作業テーブル（２）の調整方法は第１の方法と同様である。
図８に第２の方法図５、第３の方法図６、第４の方法図７の上視図を示す。【００２５】  次の請求項２に係る考案は公知の糸鋸機に容易に作業テーブル（２）を取り付け可能な構造として、請求項１を実現するものである。
第１の方法（図１）を公知の糸鋸機のテーブル上にクランプ（７）で固定する。
（図９）に示す。
第２の方法（図５）を公知の糸鋸機のテーブル上にクランプ（７）で固定する。
（図１０）に示す。
第３の方法（図６）を公知の糸鋸機のテーブル上にクランプ（７）で固定する。
（図１１）に示す。
第４の方法は（図７）を公知の糸鋸機のテーブル上にクランプ（７）で固定する。
（図１２）に示す。
何れの方法も作業テーブル（２）は糸鋸刃（４）の中心軸で左右に自由自在に方向転換する。【００２６】  さらに詳細に観察すると、曲線挽きと折線挽きでは僅かな違いが判明した。
曲線挽きは糸鋸刃の直前位置（１７）を方向転換軸とするのが正しい。
曲線挽きをする時に固定テーブル（１）を糸鋸刃中心から手前方向に平行移動させる機構を付加することで実現する。平行移動させる量は糸鋸刃の幅の半分である。図３５に示す。固定テーブル（１）に直線移動レール又ガイドを平行に２本配置して、偏芯カム機構で平行移送させる。図３４に糸鋸刃の直前位置（１７）を示す。
糸鋸刃幅の半分の量は僅かであり操作で吸収できるので、図３５に示す機構は省略できる。作業テーブル（２）を卓上帯鋸刃盤に転用した場合は有効となる。【００２７】  次に本考案の被加工物を支持する作業テーブル（２）を備えた糸鋸機の操作方法を説明する。被加工物の挽き方を二つに分けると内身を作品とする場合と外身を作品とする場合がある。内身を作品とする場合は外周から挽き始める。外身を作品とする場合は被加工物に穴を開け糸鋸刃を通して挽き始める。透かし挽きと言い糸鋸の最大の特徴である。
挽き方の違いで準備した被加工物を作業テーブル（２）上に置くことで準備が整う。【００２８】  直線を挽く方法は作業テーブル（２）上で被加工物を糸鋸刃に向かって真直ぐ押し滑らせる。公知の糸鋸機での被加工物の搬送方法と同じ要領と操作で行う。
墨線を外れた場合の修正は被加工物を作業テーブル（２）上に押し付けて墨線に合わせて角度を定める。次に押し付けを止めて、再び前に被加工物を滑らせることで修正する。無理にこの方法を強制するものではない従来の操作方法で修正可能である。【００２９】  曲線を挽く方法は墨線上で曲線の接線方向を想定して被加工物をこの作業テーブル（２）上に押し付けて、接線角度を定める。次に押し付けを止めて、糸鋸刃に向かって作業テーブル（２）上で真直ぐ押し滑らせて微小移動させて挽く。再び、被加工物をこの作業テーブル（２）上に押し付けて、曲線の接線方向である角度を定める。次に押し付けを止めて、糸鋸刃に向かって押し滑らせて微小移動させて挽くことの繰り返しで曲線挽きを行う。
ここで、作業テーブル（２）の支点軸は糸鋸刃位置に一致しているので、被加工物を作業テーブル（２）に押し付けて右回り、左回りに方向を容易に定めることができる。
円挽きする方法は曲線を挽く方法と同じで、被加工物をこの作業テーブル（２）上で押し付けて、円の接線方向を定めて、糸鋸刃に向かって真直ぐ微小移動させることの繰り返しの操作をおこなう。被加工物を作業テーブル（２）上に押し付けている限り左右前後にずれ込むことはなく安定して保持できる。【００３０】  次に糸鋸挽きする上で最も難しいと言われる折線挽きを説明する。
折線挽きする方法は被加工物を折線する位置まで作業テーブル（２）上で糸鋸刃に向かって真っ直ぐ押し滑らせて前進させる。その場で、被加工物を作業テーブル（２）上に押し付けて被加工物を右回り、左周り何れかの折線角度を定めて少しずつ方向を変える。
被加工物を作業テーブル（２）上に押し付けている限り折線点と糸鋸刃位置は合致した位置に保たれる。その後再び前進させることで折線挽きを行う。
従来の糸鋸機では挽き進む量はアサリ量で制限されるので折線点と糸鋸刃位置を長時間に渡り僅かずつ移動させながら正確に合致させて被加工物を保持する技量・熟練が必要である。初心者には難しい技量であったが、本考案である作業テーブル（２）上に押し付ける動作によって被加工物を安定して保持可能となり、安全に作業できる。【００３１】  折線挽きの例（図２０）で本考案の作業テーブル（２）を備えた糸鋸機と公知の糸鋸機との違いをその場で被加工物を一回転させる挽き方する場面で説明する。
例えば、板端から数センチ直線で挽いて、その場で一回転して元の直線上を元に戻ってくる場合、挽いた形状は数センチの直線上に糸鋸刃の刃幅を直径とする小さい円がある切削痕跡ができれば理想である。（名人芸である）  理想的図を図２０に示す。【００３２】  被加工物を同一場所で一回転させるには理論的には糸鋸刃のアサリの部分（図３１）を使用することになる。アサリ部分を使用して横方向に少しずつ挽くことで理想に近づけている。アサリ部分で挽ける量は僅かな量なので長時間同じ位置を保持する必要がある。【００３３】  公知の糸鋸機ではその場で被加工物を一回転させるのことに糸鋸刃の位置を被加工物の回転軸を合わせて被加工物の細かな方向転換と位置調整を両手の指先感覚で行わなければならない。様々な形状の被加工物の中心位置を目測して、糸鋸刃位置に常に保持しながら、時計方向または反時計方向へと僅かづつその位置を長時間に渡って保って僅かな量を挽くことである。長時間に渡って両手の指先感覚と過去の経験で被加工物を保持し続ける必要がある。
糸鋸刃の刃幅を直径とする小さい円を残すには技量、経験が要ることは容易に想像できる。【００３４】  本考案の作業テーブル（２）を備えた糸鋸機では作業テーブル（２）上で被加工物を押し付けることで被加工物の方向転換軸と糸鋸刃の位置を合致させた位置を常に保持できる。被加工物を押し付け接着した状態で、時計方向、反時計方向へと僅かづつその位置を保って長時間に渡り挽くことができる。作業テーブル（２）上で被加工物を押し付ける接着した状態を保てば常に糸鋸刃のアサリ量で挽くことができる状態を作者に提供できる。
作業テーブル（２）上で被加工物を押し付ける接着した状態を保つことは初心者にも容易にできる。作業テーブル（２）上の操作性は格段に向上する。【００３５】  被加工物の直線挽きをすることと、本考案の作業テーブル（２）上で被加工物が自由自在に方向転換することは矛盾するように思われるが、直線造形は曲線造形の集合である。曲線挽きの一種が直線挽きであることが実際に操作して実感できる。
同様に曲線挽きで円周上に接線を等間隔に挽いたものが円挽きであることが実際に操作して実感できる。【００３６】  本考案の作業テーブル（２）上に被加工物を載せて、糸鋸刃に向かって真っ直ぐ滑らせれば糸鋸刃で直線を挽くことができ、作業テーブル（２）上に被加工物を押し付けた状態にすれば、糸鋸刃の中心位置で被加工物を保持して、アサリ量で挽くことができる。初心者にも様々な木工造形作品を挽きに専念できる。
相当に技量、経験、勘を排除でき、安全に被加工物を取り扱えて、挽くことができる。
「実施形態の効果」【００３７】  この実施形態によれば、被加工物は糸鋸刃の位置を軸として方向転換できる作業テーブル２上に置かれるので、仮想の方向転換軸を想定して熟練と作業勘で被加工物を動かす必要はなく、高度な曲線挽き、折線挽きを支援できる。更に初心者でも安全に作業できる。作者がこの作業テーブルに被加工物を押し付けたときに効果が現れる。従来の操作を妨げるのもはなにもない。公知の糸鋸機と同様の木工造形作品を創作する場を提供できる。【００３８】  本考案の作業テーブル（２）上はガイドレール類、沿う板、支え板（フェンス）類、被加工物を支持する支点の突起物、針金など一切付けていない。被加工物に支持する特別な穴、支持具をつける必要もない。
【図面の簡単な説明】
【００３９】
【図１】本考案の一実施形態を示すガイド筒で構成した斜視図である。
【図２】本考案の一実施形態を示すガイド筒で構成した上視図である。
【図３】本考案の一実施形態を示す  図１  作業テーブル２反時計方向へ方向転換した上視図である。
【図４】本考案の一実施形態を示す  図１  作業テーブル２時計方向へ方向転換した上視図である。
【図５】本考案の一実施形態を示す  ドーナッツ状（環状）のスラスト荷重ベアリングを使った作業テーブル１斜視図である。
【図６】本考案の一実施形態を示す  ドーナッツ状（環状）矩形案内溝を使った作業テーブル２斜視図である。
【図７】本考案の一実施形態を示す  作業テーブル２にドーナッツ状矩形案内溝を固定した斜視図である。
【図８】図５、図６、図７の上視図。
【図９】本考案の請求項２の内容を示すガイド筒で構成し公知の糸鋸機に取り付け図。
【図１０】本考案の請求項２の内容示すドーナッツ状のスラスト荷重ベアリングで構成し公知の糸鋸機に取り付け図。
【図１１】本考案の請求項２の内容示すドーナッツ状矩形案内溝で構成し公知の糸鋸機に取り付け図。
【図１２】本考案の請求項２の内容示すドーナッツ状矩形案内溝で構成し公知の糸鋸機に取り付け図。
【図２０】折線挽きの理想的な挽き図。
【図２１】折線挽きの挽き始め図。
【図２２】折線挽きで直線挽きを終えた図。
【図２３】折線挽きで被加工物を反時計方向に方向転換した図。
【図２４】折線挽きで被加工物を時計方向に方向転換した図。
【図３０】糸鋸刃にアサリなし図。
【図３１】糸鋸刃にアサリあり図。
【図３２】環状ガイドの形状矩形図。
【図３３】環状ガイドの形状山形図。
【図３４】曲線挽きの詳細な作業テーブル２の中心軸図。
【図３５】作業テーブル２を糸鋸刃幅の半分移動できる機構図
【符号の説明】
【００４０】  １  固定テーブル
２  作業テーブル
３  ドーナッツ状矩形キー及びドーナッツ状ハウジング（矩形リング）
４  糸鋸刃
５  ドーナッツ状ベアリング及びドーナッツ状ベアリングハウジング
６  公知の糸鋸機の作業台
７  クランプ（公知の糸鋸機への固定金具）
８  被加工物
１０  糸鋸刃後部
１１  糸鋸刃前部
１２  作業テーブル２の中心方向転換軸（アサリなし）
１３  糸鋸刃  （刃にアサリなし）
１４  作業テーブル２の中心方向転換軸（アサリあり）
１５  刃にアサリあり  アサリ量
１６  作業テーブル２のガイド筒
１７  曲線挽き  詳細な作業テーブル２の中心軸
２０  平行移動ガイドレール
２１  作業テーブル２を糸鋸刃幅の半分移動できるカム機構
【図１】
0003153265.tif 000003
【図２】
0003153265.tif 000004
【図３】
0003153265.tif 000005
【図４】
0003153265.tif 000006
【図５】
0003153265.tif 000007
【図６】
0003153265.tif 000008
0003153265.tif 000009
【図８】
0003153265.tif 000010
【図９】
0003153265.tif 000011
【図１０】
0003153265.tif 000012
【図１１】
0003153265.tif 000013
【図１２】
0003153265.tif 000014
【図２０】
0003153265.tif 000015
【図２１】
0003153265.tif 000016
【図２２】
0003153265.tif 000017
【図２３】
0003153265.tif 000018
【図２４】
0003153265.tif 000019
【図３０】
0003153265.tif 000020
【図３１】
0003153265.tif 000021
【図３２】
0003153265.tif 000022
【図３３】
0003153265.tif 000023
【図３４】
0003153265.tif 000024
【図３５】
0003153265.tif 000025
【手続補正書】
【提出日】平成21年2月25日(2009.2.25)
【手続補正１】
【補正対象書類名】実用新案登録請求の範囲
【補正対象項目名】全文
【補正方法】変更
【補正の内容】
【実用新案登録請求の範囲】
【請求項１】
長尺状の鋸刃を往復運動させて被加工物の挽きを行う糸鋸盤の作業テーブルに関する。テーブルの中央で鋸刃が垂直に上下往復運動する。上下する垂直方向を鋸刃の中心軸とする。テーブルの回転軸を常に鋸刃の中心軸に保持し、挽く方向を自由自在に方向転換できる作業テーブルである。作業テーブルの具現は（２）作業テーブルを図１、又は図５、又は図６、又は図７に示す機構で構成する。
図１に示す１６ガイド筒の外周をスライドして動く（２）作業テーブルを有する。
図５に示す５ドーナッツ状ベアリング上を可動する（２）作業テーブルを有する。
図６に示す３ドーナッツ状矩形キーを固定側として可動する（２）作業テーブルを有する。
図７に示す３ドーナッツ状矩形キーを可動側として可動する（２）作業テーブルを有する。
以上いずれかの（２）作業テーブルを設けたことを特徴とする糸鋸機。
【請求項２】
請求項１に示す構成物品で、公知の糸鋸機にも取り付け可能な２作業テーブル単体。構成方法及び取り付け方法は図９、図１０、図１１、図１２に示す。
【手続補正２】
【補正対象書類名】明細書
【補正対象項目名】００３９
【補正方法】変更
【補正の内容】
【００３９】
【図１】本考案の一実施形態を示すガイド筒で構成した斜視図である。
【図２】本考案の一実施形態を示すガイド筒で構成した上視図である。
【図３】本考案の一実施形態を示す  図１  作業テーブル２反時計方向へ方向転換した上視図である。
【図４】本考案の一実施形態を示す  図１  作業テーブル２時計方向へ方向転換した上視図である。
【図５】本考案の一実施形態を示す  ドーナッツ状（環状）のスラスト荷重ベアリングを使った作業テーブル１斜視図である。
【図６】本考案の一実施形態を示す  ドーナッツ状（環状）矩形案内溝を使った作業テーブル２斜視図である。
【図７】本考案の一実施形態を示す  作業テーブル２にドーナッツ状矩形案内溝を固定した斜視図である。
【図８】図５、図６、図７の上視図。
【図９】本考案の請求項２の内容を示すガイド筒で構成し公知の糸鋸機に取り付け図。
【図１０】本考案の請求項２の内容示すドーナッツ状のスラスト荷重ベアリングで構成し公知の糸鋸機に取り付け図。
【図１１】本考案の請求項２の内容示すドーナッツ状矩形案内溝で構成し公知の糸鋸機に取り付け図。
【図１２】本考案の請求項２の内容示すドーナッツ状矩形案内溝で構成し公知の糸鋸機に取り付け図。
【図１３】折線挽きの理想的な挽き図。
【図１４】折線挽きの挽き始め図。
【図１５】折線挽きで直線挽きを終えた図。
【図１６】折線挽きで被加工物を反時計方向に方向転換した図。
【図１７】折線挽きで被加工物を時計方向に方向転換した図。
【図１８】糸鋸刃にアサリなし図。
【図１９】糸鋸刃にアサリあり図。
【図２０】環状ガイドの形状矩形図。
【図２１】環状ガイドの形状山形図。
【図２２】曲線挽きの詳細な作業テーブル２の中心軸図。
【図２３】作業テーブル２を糸鋸刃幅の半分移動できる機構図
【手続補正３】
【補正対象書類名】図面
【補正対象項目名】全図
【補正方法】変更
【補正の内容】
【図１】
0003153265.tif 000026
【図２】
0003153265.tif 000027
【図３】
0003153265.tif 000028
【図４】
0003153265.tif 000029
【図５】
0003153265.tif 000030
【図６】
0003153265.tif 000031
【図７】
0003153265.tif 000032
【図８】
0003153265.tif 000033
【図９】
0003153265.tif 000034
【図１０】
0003153265.tif 000035
【図１１】
0003153265.tif 000036
【図１２】
0003153265.tif 000037
【図１３】
0003153265.tif 000038
【図１４】
0003153265.tif 000039
【図１５】
0003153265.tif 000040
【図１６】
0003153265.tif 000041
【図１７】
0003153265.tif 000042
【図１８】
0003153265.tif 000043
【図１９】
0003153265.tif 000044
【図２０】
0003153265.tif 000045
【図２１】
0003153265.tif 000046
【図２２】
0003153265.tif 000047
【図２３】
0003153265.tif 000048
【手続補正書】
【提出日】平成21年6月6日(2009.6.6)
【手続補正１】
【補正対象書類名】実用新案登録請求の範囲
【補正対象項目名】全文
【補正方法】変更
【補正の内容】
【実用新案登録請求の範囲】
【請求項１】
長尺状の鋸刃を往復運動させて被加工物の挽きを行うテーブルを備え、テーブルの中央で鋸刃が垂直に上下往復運動する糸鋸盤で、
上下する垂直方向を鋸刃の中心軸として、中心軸の同心上に円筒状のガイドを配置し、
円筒の外縁を摺動し回転できる作業テーブルを設ける、
又は、上下する垂直方向を鋸刃の中心軸として、中心軸の同心上にドーナツ状の円形ガイドを配置し、円形ガイドの縁に沿って、摺動回転できる作業テーブルを設ける、
機構を備えて、テーブル上に置いた被加工物の回転軸を常に鋸刃の中心軸に保持して、挽く方向を自由自在に方向転換できる作業テーブルを設けたことを特徴とする糸鋸機。
【請求項２】
テーブルの中央で鋸刃が垂直に上下往復運動する糸鋸盤で、
上下する垂直方向を鋸刃の中心軸として、中心軸の同心上に円筒状のガイドを配置し、
円筒の外縁を摺動し回転できる作業テーブルを設ける、
又は、上下する垂直方向を鋸刃の中心軸として、中心軸の同心上にドーナツ状の円形ガイドを配置し、円形ガイドの縁に沿って、摺動回転できる作業テーブルを設ける、
機構を備えて、
テーブルの回転軸を常に鋸刃の中心軸に保持し、テーブル上に置いた被加工物の回転軸を常に鋸刃の中心軸に保持して、
挽く方向を自由自在に方向転換でき、公知の糸鋸機に取り付け可能な作業テーブル。